(57)【要約】【課題】  吹出口から吹出す空気を遠くまで届かせ導風パネルを備え、かつ受信機能や表示機能も十分発揮できる空気調和機を提供する。【解決手段】  ケーシング２の上面側の吸込口３から吸込んだ空気をケーシング前面下部の吹出口４から遠方まで放出できるよう導風パネル７を設け、この導風パネルをケーシングの前面に沿わせた状態でも導風パネル７よりも上側で、ケーシングの前面上部に運転表示部４０と第１の受信部４１とを配設しているので、運転表示部４０を明確に視認できる。また、ケーシング２の下面にも第２の受信部４２を設け、いずれかの受信部４１，４２でリモコンからの操作信号を受信できるようにし、遠隔制御を容易に行えるようにする。【選択図】  図８
2008128572.tif 000002
【特許請求の範囲】
【請求項１】
上面に吸込口が形成され、下部に空気を吹き出す吹出口が形成されたケーシングと、該ケーシング内の吸込口から吹出口に至る空気通路に配設された送風ファンと、該送風ファンを囲むように前記空気通路に形成された室内熱交換器と、前記ケーシングの前面に設けられ前記吹出口から吹出す空気を略水平方向に導く導風パネルとを備え、前記導風パネルは、吹出口から吹出す空気を略水平方向に導く導風姿勢と、ケーシングの前面に沿って配され、前記吹出口を含むケーシングの前面の少なくとも下半分を覆う覆い姿勢とに切換え自在に設けられ、前記覆い姿勢における導風パネルの上端よりも上側で、前記ケーシングの前面上部に運転表示部が配設されたことを特徴とする空気調和機。
【請求項２】
前記導風パネルは、その下端の第１軸周りに開閉回動して導風姿勢と覆い姿勢とに切換え自在に前記ケーシングに支持されたことを特徴とする請求項１に記載の空気調和機。
【請求項３】
前記導風パネルは、覆い姿勢で主に吹出口を覆うカバーパネルと、該カバーパネルの上側に配置される延長パネルとに分割されると共に、カバーパネルが延長パネルに対して回動自在に支持されてなることを特徴とする請求項２に記載の空気調和機。
【請求項４】
前記運転表示部に並んでリモコンの第１の受信部が配設されたことを特徴とする請求項１〜３のいずれかに記載の空気調和機。
【請求項５】
前記ケーシングの下面で導風パネルから外れた位置に、第１の受信部とは別に第２の受信部が配設されたことを特徴とする請求項４に記載の空気調和機。
【請求項６】
前記吸込口に対面してフィルタが配設され、前記ケーシングの前面上部に前記フィルタを着脱自在に挿入するフィルタ挿入口が形成され、前記運転表示部が、前記フィルタ挿入口よりも上側に配設されたことを特徴とする請求項１〜３のいずれかに記載の空気調和機。
【請求項７】
前記ケーシング内で、熱交換器と吸込口との間にフィルタを清掃するフィルタ清掃装置が配設され、該フィルタ清掃装置は、ケーシング内でフィルタを移動させる側面視でＵ字形に湾曲して形成された移動案内路と、該移動案内路に面してフィルタに付着した塵埃を吸引して除去する塵埃除去ボックスと、フィルタを移動通路に沿って移動させる駆動部とを備え、移動通路の一部が前記フィルタ挿入口に連通されたことを特徴とする請求項６に記載の空気調和機。
【発明の詳細な説明】
【技術分野】
【０００１】
本発明は、空気調和機の室内ユニットにおける運転表示部の配置に関するものである。
【背景技術】
【０００２】
空気調和機の室内ユニットとして、特許文献１には、空気吸込口を有する化粧パネルが前面中央から左右になだらかに湾曲する曲面に形成させ、この曲面の裏側に、長手方向が直線状あるいは曲面に沿わせる形状をした熱交換器を配設するとともに、筐体前面は、その幅方向中央が突出し、この突出部の下部にリモコンからの受信部および運転表示部を配設したものが開示されている。
【０００３】
また、特許文献２，３には、室内ユニットの下部の吹出口に、吹出す空気の流れを水平方向から斜め上方に向けるメイン水平フラップおよび補助水平フラップを設け、吹出し空気を遠方まで届かせることにより、居住者の快適性を向上させようとする空気調和機が提案されている。
【特許文献１】特開平７−６３３６８号公報
【特許文献２】特開２００２−２９５８８８号公報
【特許文献３】特開２００５−３１５５３８号公報
【発明の開示】
【発明が解決しようとする課題】
【０００４】
しかしながら、特許文献２、３に開示された空気調和機では、吹出口からの吹出し空気を遠方に届かせるために、メイン水平フラップを大きくしなければならない。メイン水平フラップを大きくすると、吹出口を覆うのみならずケーシングの前面を覆うほど大きくなる。
【０００５】
一方、上記のような壁掛型の室内ユニットは、室内の高所の壁に据え付けられており、使用者はその室内ユニットの下方に居住しているのが通常である。そうすると、ケーシングの前面に設けられた運転表示部やリモコンの受信部がメイン水平フラップによって隠れてしまい、本来の機能を発揮することができなくなる。
【０００６】
本発明は、上記に鑑み、吹出し空気を遠くまで届かせることができる機構を備えていても、受信機能や表示機能を十分発揮することができる空気調和機の提供を目的としている。
【課題を解決するための手段】
【０００７】
上記目的を達成するため、本発明に係る空気調和機は、上面に吸込口が形成され、下部に空気を吹き出す吹出口が形成されたケーシングと、該ケーシング内の吸込口から吹出口に至る空気通路に配設された送風ファンと、該送風ファンを囲むように前記空気通路に配置された室内熱交換器と、前記ケーシングの前面に設けられ前記吹出口から吹出す空気を略水平方向に導く導風パネルとを備え、前記導風パネルは、吹出口から吹出す空気を略水平方向に導く導風姿勢と、ケーシングの前面に沿って配され、前記吹出口を含むケーシングの前面の少なくとも下半分を覆う覆い姿勢とに切換え自在に設けられ、前記覆い姿勢における導風パネルの上端よりも上側で、前記ケーシングの前面上部に運転表示部が配設されたことを特徴としている。
【０００８】
上記構成によると、吹出口から吹出した空気は、略水平方向の導風パネルにより略水平から斜め上方に導かれ、遠方に届くようになる。この導風パネルは、その覆い姿勢で、ケーシングの前面に沿って配置され、吹出口を含むケーシングの前面の少なくとも下半分以上を覆うことになる。本発明では、運転表示部を導風パネルの上方位置で、ケーシングの前面上部に配置しているため、導風パネルが空気を略水平方向に導く導風姿勢を保持している場合でも、導風パネルに遮られることなく、運転表示部を明確に視認することができる。
【０００９】
運転表示部での表示は、ＬＥＤにより、室内ユニットに設けられたイオン発生装置から放出される除菌イオンの運転状況や室内の空気の汚れ具合を表示する。また、設定温度や室外の温度を表示することもできる。これらの表示を使用者が視認することにより、リモコン操作でイオン発生装置を運転操作したり、冷房・除湿運転や暖房運転への切換え操作を行うことができる。
【００１０】
また、導風パネルの導風姿勢と覆い姿勢との切換えは、導風パネルの移動によって切換え可能であり、平行移動式あるいは回動式のいずれを採用してもよい。回動式の場合、導風パネルをその下端の第１軸周りに開閉回動して導風姿勢と覆い姿勢とに切換え自在とし、前記ケーシングに支持することができる。
【００１１】
また、導風パネルは、覆い姿勢で主に吹出口を覆うカバーパネルと、該カバーパネルの上側に配置される延長パネルとに分割し、カバーパネルが延長パネルに対して回動自在に支持される構成とすることができる。
【００１２】
上記構成によると、導風パネルの導風姿勢で吹出口からの空気を略水平方向に遠方に飛ばすことができる。また、カバーパネルを延長パネルに対して回動軸周りに回動してカバーパネルを垂直姿勢に切り換えることにより、吹出口からの吹出した空気を垂直下方に導くことができる。
【００１３】
また、運転表示部に並んでリモコンの第１の受信部を配設する。これにより、視認性を確保できる運転表示部に並んで第１の受信部を配置しているので、導風パネルが大きくてもリモコンからの信号が第１の受信部に届くようになる。
【００１４】
また、ケーシングの下面で導風パネルから外れた位置に、第１の受信部とは別に第２の受信部を配設することができる。
【００１５】
上記構成によると、導風パネルが、その導風姿勢で略水平方向に延びているので、リモコンからの信号が導風パネルによって遮断され、第１の受信部に信号が届かなくなるおそれがある。このような場合でも、導風パネルよりも下面に位置する第２の受信部によりリモコンからの信号を受信することができるため、リモコンによる遠隔操作が容易に行える。
【００１６】
また、吸込口に対面してフィルタが配設されているが、このフィルタをケーシングの前面上部に形成されたフィルタ挿入口から着脱自在に挿入する場合がある。このような場合、運転表示部はフィルタ挿入口よりもさらに上側に配設する方が好ましい。運転表示部をフィルタ挿入口の形成位置から回避して、その上側に配置することにより、運転表示部をさらに確実に視認することができる。
【００１７】
また、ケーシング内で熱交換器と吸込口との間にフィルタを清掃するフィルタ清掃装置が配設される場合がある。このような場合、フィルタ清掃装置は、ケーシング内でフィルタを移動させる側面視でＵ字形に湾曲して形成された移動案内路と、該移動案内路に面してフィルタに付着した塵埃を吸引して除去する塵埃除去ボックスと、フィルタを移動案内路に沿って移動させる駆動部とを備えているので、移動案内路の一部をフィルタ挿入口に連通させることで、フィルタをフィルタ挿入口から着脱自在に装着することができる。
【発明の効果】
【００１８】
以上のように、本発明によると、吹出口から吹出した空気は導風パネルにより略水平方向に吹出して遠方まで届かせることができるが、このとき、運転表示部がケーシングの前面上部に配置しているため、導風パネルの存在にも関わらず、運転表示部を確実に視認することができる。
【発明を実施するための最良の形態】
【００１９】
＜第１の実施形態＞
図１は本実施形態のセパレート型空気調和機の室内ユニットにおける導風パネルの覆い姿勢を示す断面図、図２は同じくその斜視図である。図３は室内ユニットのカバーパネルの開姿勢を示す断面図、図４は同じくその斜視図である。図５は室内ユニットにおける導風パネルの導風姿勢を示す断面図、図６は同じくその斜視図である。図７は室内ユニットを下側から見た斜視図、図８は吹出口の導風パネルおよびケーシングの前面パネルを取り除いた状態を示す斜視図である。
【００２０】
室内ユニット１は、図１及び図２に示すように、ケーシング２の上面に空気の吸込口３が形成され、ケーシング２の前面下部に空気の吹出口４が形成される。ケーシング２の内部には、吸込口３から吹出口４に至る内部空気通路が形成され、この内部空気通路に熱交換器５と室内ファン６とが配設される。
【００２１】
内部空気通路は、ケーシング上面の吸込口３から吸込んだ室内の空気をフィルタを通した後、熱交換器５で熱交換し、冷風又は温風として室内ファン６によって吹出口４から室内側に放出されるものである。この内部空気通路において、吹出口近傍で正負のイオンを放出し、この正負の除菌イオンを吹出される空気と共に室内に放出されるように、イオン発生装置４５を吹出口４の近傍に設けることができる。
【００２２】
室内ファン６は、クロスフローファンであって、その回転軸の軸方向が左右方向とされる。室内ファン６は、内部空気通路において熱交換器５よりも吹出口４側に配置される。
【００２３】
熱交換器５は、４つの熱交換器５ａ〜５ｄから構成され、これらのうち３つの熱交換器５ａ、５ｂ、５ｃが前後および上側の三方から室内ファン６を囲むように配置される。後側に位置する熱交換器５ｃの背面側には、さらに一つの補助熱交換器５ｄが後ろ側熱交換器５ｃと平行に配置される。各熱交換器５は、熱媒管と多数のフィンとから直方体形状に形成され、熱媒管の端部同士で他の熱交換器と接続され、冷凍サイクルの一部を構成するようになっている。
【００２４】
また、例えば、後ろ側の熱交換器５ｃ、５ｄと前側の熱交換器５ａ、５ｂとの間に切換弁（不図示）を設け、除湿運転時には、後ろ側の熱交換器５ｃ、５ｂを凝縮器として使用し、前側の熱交換器５ａ，５ｂで湿気を除去した空気を、後ろ側熱交換器５ｃ、５ｄの排熱を利用して暖めて吹出口４から放出する再熱除湿もできるようになっている。
【００２５】
吸込口３に対面して吸込んだ室内の空気から塵埃を除去するフィルタ２１が設けられる。フィルタ２１は、極細繊維がネット状に編成又は織成され、吸込口３に対面して配置することにより、吸引した空気から塵や埃を除去できるようになっている。
【００２６】
このフィルタ２１を清掃する清掃装置２２が設けられる。フィルタ清掃装置２２は、ケーシング２の上面前側と前面上側と前側の熱交換器５ａ、５ｂとで囲まれた空間部に配置される。フィルタ清掃装置２２は、ケーシング２内でフィルタ２１を移動させる側面視でＵ字形に湾曲した移動案内路２４と、該移動案内路２４に面してフィルタに付着した塵埃を吸引除去する塵埃除去ボックス２５と、フィルタ２１を移動案内路２４に沿って移動させる駆動手段２６とを備えている。
【００２７】
移動案内路２４は、吸込口３に対面した配置されたフィルタ２１の前端部をケーシング２の前部でＵ字状に折り返して熱交換器５側に導く経路となっている。そして、移動案内路２４は、フィルタ４の左右両端部を挿入可能となっている。
【００２８】
塵埃除去ボックス２５は、Ｕ字状の移動案内路２４の上側通路部分に配置される。塵埃除去ボックス２５は、断面半筒状の表側ボックス２７と同じく断面半筒状の裏側ボックス２８とが互いの開口を突き合せるように対向配置され、その間にフィルタ２１を通過させるようになっている。表裏のボックス２７，２８の端部には吸引ファン（不図示）が設けられ、この吸引ファンにより、フィルタ２１と略平行方向（左右方向）に空気を流すことで、フィルタ２１に付着した塵埃を除去する。この際、塵埃除去ボックス内に回転ブラシを設け、フィルタ２１に付着した塵埃を掻き取るようにしてもよい。
【００２９】
駆動手段２６は、モータ３０と、このモータ３０に連結されたギヤ機構３１等から構成される。最終のピニオンギヤが、フィルタ２１の左右方向の端部に形成されたラック部に噛合され、モータ３０を駆動することにより、フィルタ２１が移動案内路２４を往復動するようになっている。なお、フィルタ２１の移動をスムーズに行うために、フィルタ２１の一部を押圧するゴムローラを設けてもよい。
【００３０】
また、ケーシング２の前面上部にはフィルタ２１を着脱自在に挿入するフィルタ挿入口３３が形成される。このフィルタ挿入口３３は、Ｕ字形の移動案内路２４の湾曲部に連通され、フィルタ２１をフィルタ挿入口３３から移動案内路２４に着脱自在に介入できるようになっている。フィルタ挿入口３３は、吹出口４の上側に形成された矩形の開口であって、左右一対のフィルタに合わせて左右一対の開口が設けられている。このフィルタ挿入口３３を含み、ケーシング２の吹出口４よりも上側前面部は、前面パネル４４によって覆われる。前面パネル４４は、ケーシング２に対して着脱自在に取り付けられる。
【００３１】
吹出口４には、縦ルーバ３６ａと横ルーバ３６ｂとからなる風向変更装置３６が設けられ、吹出口４から吹出す風の向きを変更することができるようになっている。この風向変更装置３６は、公知の構造のものである。本発明では、この風向変更装置３６とは別に、ケーシング２の前面に覆い姿勢と導風姿勢に切換え自在な導風パネル７が設けられる。この導風パネル７は、吹出口４から吹出す空気を略水平方向で遠方に導くもので、導風パネル７の下端が第１の回動軸１０周りに回動自在にケーシング２に軸支されている。
【００３２】
そして、導風パネル７は、第１の回動軸１０周りに回動により、吹出口４から略水平方向に配置されて吹出口４から吹出す空気を略水平方向に導く導風姿勢と、ケーシング２の前面に沿って配置され、吹出口４を含むケーシングの前面の少なくとも下半分を覆う覆い姿勢とに切換え自在とされる。
【００３３】
導風パネル７の導風姿勢は、主として、冷房運転時に吹出口４から吹出された風を導風パネル７に沿って略水平方向ないし斜め上方に導き、室内の天井に沿って遠方に空気に導くときに採用される。
【００３４】
また、導風パネル７は、その覆い姿勢で、ケーシング２の前面下部から前面にかけて、吹出口４及びその周辺部分を被覆するように設置される。すなわち、導風パネル７は、吹出口４よりも大きく形成されており、ケーシング２の前面のほぼ全域を覆う大きさとされている。
【００３５】
さらに、導風パネル７は、主に吹出口４を覆うカバーパネル８と、該カバーパネル８の先端部に連続して設けられた延長パネル９とに分割される。カバーパネル８は延長パネル９に対して第２の回動軸１１の周りに開閉回動自在に支持される。そして、カバーパネル８は、延長パネル９をケーシング２の前面に沿わせた覆い姿勢を保ちつつ、第２の回動軸１１の周りの回動により、吹出口４を覆う閉姿勢と、下端が垂直方向に開いた開姿勢とに切り換え自在とされる。カバーパネル８の開姿勢は、主として暖房運転時や局所的に冷風を吹出させたい急速冷房運転時に、吹出口４から吹出した風を垂直下方に導くときに採用される。
【００３６】
また、導風パネル７では、吹出口４の背面側の湾曲した通路壁に連続して風を遠方に導くことができるように、カバーパネル８が側面視で凹曲面形状に形成され、逆に、延長パネル９では、カバーパネル８から導かれた風がケーシング上面の吸込口３に吸込まれてショートサーキットを起こさないように内側に凸曲面形状に形成される。
【００３７】
また、カバーパネル８および延長パネル９は、吹出口４から導かれる冷風と室内の空気との接触により導風パネル７の表側に結露するのを防止するため、その内側が断熱ポリウレタンフォームで成形される。
【００３８】
導風パネル７の回動機構について、さらに詳述する。延長パネル９は、吹出口４の左右外側位置で左右一対の脚部９ｂが垂設される。脚部９ｂの下端部は、ケーシング２に第１の回動軸１０周りに回動自在に軸支される。
【００３９】
また、導風パネル７を構成する延長パネル９の左右両端部には、回動アーム１６が取り付けられている。回動アーム１６には第１の回動軸１０を中心として円弧状に湾曲するラック１６ａが形成されている。ラック１６ａは、ケーシング２内に設置されているピニオン（図示略）と噛合しており、ピニオンが駆動することによって延長パネル９が回動軸線１０ａ周りに回動する。導風パネル７が吹出口４を開放する際には、カバーパネル８は通気部９ａを塞ぐ姿勢のままで延長パネル９とともに一体的に回動軸線１０ａ周りに回動する。これにより、延長パネル９は、ケーシング２に沿って配される覆い姿勢と略水平方向に位置する導風姿勢とに切換え回動自在とされる。
【００４０】
また、脚部９ｂは、板状であってケーシング２に沿って湾曲形状に形成される。また、一対の脚部９ｂ間には吹出口４とほぼ同じ大きさの通気部９ａが形成される。
【００４１】
一方、カバーパネル８は、ケーシング２の左右幅とほぼ同じ左右幅を有する。従って、延長パネル９の脚部９ｂを覆い隠すように配置される。このカバーパネル８の上端は、延長パネル９に設けられた第２の回動軸１１の軸線１１ａ周りに回動自在に取り付けられる。
【００４２】
さらに、詳述すると、カバーパネル８の左右両端部にはケーシング２の左右方向と平行に第２の回動軸１１が形成される。第２の回動軸１１は、延長パネル９の脚部９ｂに形成された軸受部に回動自在に軸受けされる。この軸受部は、吹出口４上端よりも上方位置に配置される。
【００４３】
また、カバーパネル８には、第２の回動軸１１を中心として扇状ギヤ１５が設けられる。そして、延長パネル９がケーシング２に接近した覆い姿勢で、扇状ギヤ１５がケーシング内に設置された駆動ギヤに噛合する。そして、駆動ギヤの回転駆動動作により、これに噛合う扇状ギヤ１５が回転し、カバーパネル８が回動するようになっている。
【００４４】
また、カバーパネル８には、回動軸線１１ａを挟んで反対側にシール部１２が形成される。このシール部１２に対向して、ケーシングの吹出口４の上方位置でケーシング左右幅方向Ａに溝部１９が形成される。溝部１９は、カバーパネル８が延長パネル９に対して下端を開放した開姿勢をとるとき、シール部１２がケーシング２に接近する方向に回動するのを許容するために形成される。そして、溝部１９の下壁部がシール部１２と当接する。
【００４５】
延長パネル９には、シール部１２と延長パネル９との間の隙間をシールするシール材１７が配設される。また、ケーシング２の吹出口４の下縁には、導風パネル７とケーシング２との間の隙間をシールするシール材１８が配設される。
【００４６】
また、ケーシング２の前面上部には、運転表示部４０とリモコンの第１の受信部４１が並んで配設される。運転表示部４０および第１の受信部４１の配置は、導風パネル７の覆い姿勢で、導風パネル７の上端よりも上側に位置する。また、ケーシング２の下面で、吹出口４および導風パネル７から外れた位置に、第１の受信部４１とは別に第２の受信部４２が配設される。
【００４７】
運転表示部４０では、ＬＥＤにより、除菌イオンの運転状況や室内の空気の汚れ具合を表示する。また、設定温度や室外の温度を表示する。第１受信部４１および第２の受信部４２では、リモコンからの赤外線信号を受信する。
【００４８】
上記構成においては、運転停止時には、導風パネル７がケーシング２の前面に沿ってケーシング２のほぼ全面に配置された状態となっているが、導風パネル７よりも上方に運転表示部４０があるため、室内空気の汚れ具合の表示や温度表示を容易に視認することができ、その視認結果に基づき空気調和機の運転制御を行いやすくなる。
【００４９】
また、冷房運転時に導風パネル７を第１の回動軸１０周りに回動して導風姿勢にすると、吹出口４から吹出した空気は、略水平方向の導風パネル７により遠方へ導かれ、略水平方向ないし斜め上方へ遠方まで飛ばすことができる。したがって、室内ユニットを天井近くの壁面に据え付けた場合、吹出口４から吹出した冷風は天井面に沿って室内全体に行き渡り、室内全体を冷房することができる。
【００５０】
このとき、運転表示部４０は、ケーシング２の前面上部に位置し、吹出口４の近傍から離れた場所に設置されているので、吹出口４から吹出す冷風により運転表示部４０が結露するのを防止することができる。
【００５１】
また、導風パネル７は、その導風姿勢で、略水平方向に張り出し、また、導風パネル自体の左右幅もケーシング幅と同じであるため、ケーシングの上部前面に位置する第１の受信部４１ではリモコンからの送信を受信することができない。しかし、ケーシング２の下面に第２の受信部４２を設けているので、リモコンからの指示信号を容易に受信することができ、遠隔制御操作も容易に行える。
【００５２】
一方、暖房運転時などに、カバーパネル８を第２の回動軸１１周りに開回動すると、カバーパネル８が垂直方向に向き、吹出口４から吹出した風が下方に導かれる。このとき、室内ユニットから離れた位置でリモコンを操作した場合、カバーパネル８の垂直姿勢で下方に垂れ下がった状態となり、リモコンからの操作信号がカバーパネル８によって遮断され、ケーシング２の下面の第２の受信部４２では受信できない可能性があるが、上側の第１の受信部４１で受信することができるので、遠隔操作を容易に行なうことができる。
【００５３】
＜第２の実施形態＞
図９及び図１０は、本発明の第２実施形態を示すセパレート型空気調和機の室内ユニットの断面図である。図９は吹出口を覆うカバーパネルの閉姿勢を示し、図１０は同じくカバーパネルの開姿勢を示す。
【００５４】
本実施形態における室内ユニット１は、ケーシング２の前面下部に形成された吹出口４を覆う導風パネルを備え、該導風パネル７は、その上端に回動軸１０が形成されており、ケーシング２の吹出口４上端よりも上方位置で回動軸１０を受ける軸受部に回動自在に軸支されている。
【００５５】
導風パネル７は、吹出口４を覆う覆い姿勢と、覆い姿勢からの回動角度が最も大きく略水平ないしそれよりも斜め上方に開放した導風姿勢と、両姿勢の中間で吹出口４から吹出した空気を下方に導く垂直姿勢との間で回動切換え自在とされる。
【００５６】
運転表示部並びに第１の受信部および第２の受信部の配置位置は第１の実施形態と同様である。
【００５７】
上記構成においては、導風パネル７を覆い姿勢、導風姿勢、垂直姿勢のいずれの姿勢としたときも運転表示部４０を視認することができる。また、リモコンからの信号は、仮に、導風パネル７が導風姿勢のときに、導風パネル７によりリモコンの信号が遮断され、第１の受信部４１に届かなくても、ケーシングの下面にある第２の受信部４２により受信することができるので、空気調和機の遠隔制御も容易に行うことができる。
【００５８】
なお、本発明は、上記実施形態に限定されるものではなく、本発明の範囲内で多くの修正・変更を加えることができるのは勿論である。
【図面の簡単な説明】
【００５９】
【図１】本発明の第１実施形態を示す空気調和機の室内ユニットの断面図
【図２】図１の室内ユニットの外観を示す斜視図
【図３】図１における室内ユニットのカバー体が回動した状態を示す断面図
【図４】図３の室内ユニットの外観を示す斜視図
【図５】図１における室内ユニットの導風パネルが回動した状態を示す断面図
【図６】図５の室内ユニットの外観を示す斜視図
【図７】室内ユニットを下側から見た斜視図
【図８】吹出口の導風パネルおよびケーシングの前面パネルを取り除いた状態を示す斜視図
【図９】本発明の第２実施形態を示す空気調和機の室内ユニットの断面図
【図１０】図９における室内ユニットのカバーパネルを開回動した状態を示す断面図
【符号の説明】
【００６０】
１      室内ユニット
２      ケーシング
３      吸込口
４      吹出口
５      熱交換器
６      室内ファン
７      導風パネル
８      カバーパネル
９      延長パネル
９ａ    通気部
９ｂ    脚部
１０    第１回動軸
１１    第２回動軸
２１    フィルタ
２２    フィルタ清掃装置
２４    移動案内路
２５    塵埃除去ボックス
２６    駆動手段
２７    表側ボックス
２８    裏側ボックス
３０    モータ
３１    ギヤ機構
３３    フィルタ挿入口
４０    運転表示部
４１    第１の受信部
４２    第２の受信部
Ａ      ケーシング左右方向
【図１】
2008128572.tif 000003
【図２】
2008128572.tif 000004
【図３】
2008128572.tif 000005
【図４】
2008128572.tif 000006
【図５】
2008128572.tif 000007
【図６】
2008128572.tif 000008
【図７】
2008128572.tif 000009
【図８】
2008128572.tif 000010
【図９】
2008128572.tif 000011
【図１０】
2008128572.tif 000012